(57)【要約】【課題】番組内容で光ディスクを分ける場合に該当光ディスクの挿入や入れ替えをユーザに促す表示を行うことができる光ディスク記録再生装置を提供する。【解決手段】録画予約された例えばドラマａが録画開始され、時点ｔ１でドラマａの録画が終了すると、次に始まる録画の番組はスポーツｂであるので、「スポーツ用光ディスクに入れ替えて下さい」というメッセージが表示手段に表示される。この表示を見たユーザは、ドラマ用光ディスクを装置から取り出して、スポーツ用光ディスクを装置に挿入する。スポーツｂの録画が時点ｔ２で終了すると、次に始まる録画の番組は語学ｃであるので、語学用光ディスクに入れ替えて下さい」というメッセージが表示手段に表示される。この表示を見たユーザは、スポーツ用光ディスクを装置から取り出して、ドラマ用光ディスクを装置に挿入する。【選択図】図４
2007149160.tif 000002
【特許請求の範囲】
【請求項１】
光ディスクに対して情報の記録／再生を行う光ディスク記録再生装置において、
光ディスクが挿入されたときに、当該光ディスクをテレビ番組の種類に応じて区別するため、当該光ディスクに録画させようとするテレビ番組を識別するためのタイトルやジャンルや同一タイトルの連番を示す番組識別情報と当該光ディスクを識別するためのディスク固有識別情報と当該光ディスクの録画可能な残り時間を示す残り時間情報とを含むディスク区別情報テーブルをメモリに記憶させるディスク区別情報記憶手段と、
録画予約された際に設定されたチャンネルと録画日時と録画時間と番組識別情報とを含む録画予約情報テーブルをメモリに記憶させる録画予約情報記憶手段と、
未記録の光ディスクが挿入されたときに、当該光ディスクに前記番組識別情報と前記ディスク固有識別情報とを割り当て当該光ディスクに記録させる番組ディスク識別情報記録手段と、
テレビ番組の録画予約をした時、または録画が終了した時に、前記メモリの録画予約情報テーブルから次に始まる録画の番組識別情報と前記メモリのディスク区別情報テーブルからディスク固有識別情報とを取得するメモリ側情報取得手段と、
前記番組識別情報およびディスク固有識別情報が取得された後、光ディスクが挿入された場合、この挿入された光ディスクに記録されている番組識別情報およびディスク固有識別情報を取得する光ディスク側情報取得手段と、
前記メモリ側情報取得手段により番組識別情報およびディスク固有識別情報が取得された後、光ディスクが挿入されていない場合に、前記番組識別情報および前記ディスク固有識別情報が示す該当の光ディスクを挿入するようにメッセージを表示手段に表示させると共に、前記次に始まる録画の番組識別情報を表示手段に表示させる該当光ディスク挿入指示表示手段と、
前記光ディスク側情報取得手段により番組識別情報およびディスク固有識別情報が取得された後、前記メモリ側情報取得手段により取得された番組識別情報およびディスク固有識別情報と、前記光ディスク側情報取得手段により取得された番組識別情報およびディスク固有識別情報とが一致しなかった場合、前記メモリ側の番組識別番号およびディスク固有識別情報に該当する光ディスクに入れ替えるように指示するメッセージを表示手段に表示させると共に、前記次に始まる録画の番組識別情報を表示手段に表示させる該当光ディスク入れ替え指示表示手段と、
前記メモリ側情報取得手段により取得された番組識別情報およびディスク固有識別情報と、前記光ディスク側情報取得手段により取得された番組識別情報およびディスク固有識別情報とが一致したが、前記残り時間が前記録画時間よりも短い場合、未記録の光ディスクに入れ替えるように指示するメッセージを表示手段に表示させる未記録光ディスク入れ替え指示表示手段と、を有するシステムコントローラを備えたことを特徴とする光ディスク記録再生装置。
【請求項２】
光ディスクに対して情報の記録／再生を行う光ディスク記録再生装置において、
光ディスクが挿入されたときに、当該光ディスクをテレビ番組の種類に応じて区別するため、ディスク区別情報テーブルをメモリに記憶させるディスク区別情報記憶手段と、
録画予約された際に設定された録画予約情報テーブルをメモリに記憶させる録画予約情報記憶手段と、
未記録の光ディスクが挿入されたときに、当該光ディスクに番組識別情報とディスク固有識別情報とを割り当て当該光ディスクに記録させる番組ディスク識別情報記録手段と、
テレビ番組の録画予約をした時、または録画が終了した時に、前記メモリの録画予約情報テーブルから次に始まる録画の番組識別情報と前記メモリのディスク区別情報テーブルからディスク固有識別情報とを取得するメモリ側情報取得手段と、
前記番組識別情報およびディスク固有識別情報が取得された後、光ディスクが挿入された場合、この挿入された光ディスクに記録されている番組識別情報およびディスク固有識別情報を取得する光ディスク側情報取得手段と、
前記メモリ側情報取得手段により番組識別情報およびディスク固有識別情報が取得された後、光ディスクが挿入されていない場合に、前記番組識別情報および前記ディスク固有識別情報が示す該当の光ディスクを挿入するようにメッセージを表示手段に表示させると共に、前記次に始まる録画の番組識別情報を表示手段に表示させる該当光ディスク挿入指示表示手段と、
前記光ディスク側情報取得手段により番組識別情報およびディスク固有識別情報が取得された後、前記メモリ側情報取得手段により取得された番組識別情報およびディスク固有識別情報と、前記光ディスク側情報取得手段により取得された番組識別情報およびディスク固有識別情報とが一致しなかった場合、前記メモリ側の番組識別番号およびディスク固有識別情報に該当する光ディスクに入れ替えるように指示するメッセージを表示手段に表示させると共に、前記次に始まる録画の番組識別情報を表示手段に表示させる該当光ディスク入れ替え指示表示手段と、を有するシステムコントローラを備えたことを特徴とする光ディスク記録再生装置。
【請求項３】
前記ディスク区別情報テーブルは、当該光ディスクに録画させようとするテレビ番組を識別するためのタイトルやジャンルや同一タイトルの連番を示す番組識別情報と当該光ディスクを識別するためのディスク固有識別情報と当該光ディスクの録画可能な残り時間を示す残り時間情報とを含むことを特徴とする請求項２に記載の光ディスク記録再生装置。
【請求項４】
前記録画予約情報テーブルは、録画予約された際に設定されたチャンネルと録画日時と録画時間と番組識別情報とを含むことを特徴とする請求項２に記載の光ディスク記録再生装置。
【請求項５】
前記システムコントローラは、前記メモリ側情報取得手段により取得された番組識別情報およびディスク固有識別情報と、前記光ディスク側情報取得手段により取得された番組識別情報およびディスク固有識別情報とが一致したが、当該光ディスクの録画可能な残り時間が当該番組の録画時間よりも短い場合、未記録の光ディスクに入れ替えるように指示するメッセージを表示手段に表示させる未記録光ディスク入れ替え指示表示手段を有することを特徴とする請求項２に記載の光ディスク記録再生装置。
【発明の詳細な説明】
【技術分野】
【０００１】
本発明は、光ディスクに対して情報の記録／再生を行う光ディスク記録再生装置に関し、特に、テレビ番組を録画予約する際に、番組のタイトルやジャンルに応じて分けられた光ディスクを指示できる機能を有する光ディスク記録再生装置に関する。
【背景技術】
【０００２】
近年、映画等のような大量の映像音声データなどの情報を記録することができる光ディスクであるＤＶＤ（デジタル・バーサタイル・ディスク）が普及している。ＤＶＤの種類としては、メーカ側で情報が記録され、ユーザ側では書き換えができないＤＶＤ−ＲＯＭ、ユーザ側で情報を１回だけ記録できるＤＶＤ−ＲやＤＶＤ＋Ｒ、ユーザ側で規定回数書き換え可能なＤＶＤ−ＲＷやＤＶＤ＋ＲＷあるいはＤＶＤ−ＲＡＭなどが知られている。これらのＤＶＤに記録された情報は、光ディスク再生装置（ＤＶＤプレイヤ）または光ディスク記録再生装置（ＤＶＤレコーダ）で再生可能であり、ＤＶＤ−Ｒ、ＤＶＤ＋Ｒ、ＤＶＤ−ＲＷ、ＤＶＤ＋ＲＷ、ＤＶＤ−ＲＡＭへの情報の記録は、光ディスク記録再生装置で可能である。
【０００３】
ところで、テレビ番組を録画（映像および音声の記録）する場合、書き換え可能な光ディスクであるＤＶＤ−ＲＷやＤＶＤ＋ＲＷあるいはＤＶＤ−ＲＡＭが用いられることが多い。このような書き換え可能な光ディスクにテレビ番組を録画するために、前もってテレビ番組の録画予約を行いたい場合、従来から光ディスク記録再生装置では、テレビ番組の録画予約を行う録画予約機能を有している。
【０００４】
この録画予約機能を用いてテレビ番組の録画予約を行う場合、ユーザはリモコンを操作してディスプレイ装置に電子番組表（ＥＰＧ）を表示させ、その電子番組表から録画予約したいテレビ番組を選んで決定操作することにより、そのテレビ番組に対する録画予約が完了する。また、この録画予約は、電子番組表の詳細内容に表示されるＧコードや、新聞などに掲載された番組表に記載されたＧコードを用いて録画予約をすることもできる。
【特許文献１】特開２００２−３６９１１１号公報
【発明の開示】
【発明が解決しようとする課題】
【０００５】
このような録画予約機能を有した従来の光ディスク記録再生装置において、録画予約したテレビ番組を番組の内容（タイトルやジャンル）毎に分けて各光ディスクに録画したい場合がある。例えば、録画予約するテレビ番組がスポーツ番組ならば、スポーツ番組だけを録画するように、ユーザが予め決めたスポーツ用光ディスクを光ディスク記録再生装置に挿入して、スポーツ番組に対する録画予約の準備を行っている。
【０００６】
このような従来の光ディスク記録再生装置において、録画予約の録画日時の早いものから順に、例えば、ドラマ、スポーツ、語学の各番組が予約設定されていた場合、ドラマの録画が開始される前はドラマ用光ディスクを挿入しておき、このドラマの録画が終了すると、次に録画が開始されるテレビ番組を調べるために、リモコンを操作して録画予約表をディスプレイ装置に表示させたり、あるいはユーザが録画予約のメモでも取っていた場合には、そのメモを見たりして、次に録画が始まるスポーツ番組に対するスポーツ用光ディスクに入れ替えるようにしている。
【０００７】
しかしながら、例えば、ドラマの録画が終了した後、次に録画が開始されるテレビ番組（この場合、スポーツ番組）を調べるのをユーザが忘れた場合、ドラマ用光ディスクにスポーツ番組が録画されることになり、ユーザにとっては不本意の結果となる。このような結果になるのは、ユーザが録画予約の番組内容と使用目的の光ディスクとの管理を怠ったためである。要するに、従来の光ディスク記録再生装置では、録画する番組内容で光ディスクを分ける場合は、次に録画が開始されるテレビ番組をユーザが一々調べなければならないので、ユーザにとっては、録画予約の番組内容と使用目的の光ディスクとの管理の負担が生じ、使い勝手が劣るという課題がある。
【０００８】
なお、特許文献１の従来技術は、ディスク（光ディスク）に、放送番組に対する記録予約（録画予約）に関する記録予約情報（録画予約情報）を記録しておき、その記録予約情報により同じ種類の番組を特定ディスクに録画するようにしているが、次に開始される録画の番組が、前の録画予約の番組と同じであれば問題ないが、異なる場合もあるので、この従来技術も、リモコンを操作して録画予約表をディスプレイ装置に表示させたり、あるいはユーザが録画予約のメモでも取っていた場合には、そのメモを見たりして、次に録画が始まる番組をユーザが一々調べなければならないので、ユーザにとっては、録画予約の番組内容と使用目的の光ディスクとの管理の負担が生じ、使い勝手が劣るという課題がある。
【０００９】
本発明は、上記のような課題を解決するためになされたもので、テレビ番組の内容で光ディスクを分ける場合に、該当する光ディスクの挿入や入れ替えをユーザに促す表示を行うことができる機能を有する光ディスク記録再生装置を提供することを目的とする。
【課題を解決するための手段】
【００１０】
上記目的を達成するために、請求項１の発明は、光ディスクが挿入されたときに、当該光ディスクをテレビ番組の種類に応じて区別するため、当該光ディスクに録画させようとするテレビ番組を識別するためのタイトルやジャンルや同一タイトルの連番を示す番組識別情報と当該光ディスクを識別するためのディスク固有識別情報と当該光ディスクの録画可能な残り時間を示す残り時間情報とを含むディスク区別情報テーブルをメモリに記憶させるディスク区別情報記憶手段と、録画予約された際に設定されたチャンネルと録画日時と録画時間と番組識別情報とを含む録画予約情報テーブルをメモリに記憶させる録画予約情報記憶手段と、未記録の光ディスクが挿入されたときに当該光ディスクに前記番組識別情報と前記ディスク固有識別情報とを割り当て当該光ディスクに記録させる番組ディスク識別情報記録手段と、テレビ番組の録画予約をした時、または録画が終了した時に、前記メモリの録画予約情報テーブルから次に始まる録画の番組識別情報と前記メモリのディスク区別情報テーブルからディスク固有識別情報とを取得するメモリ側情報取得手段と、前記番組識別情報およびディスク固有識別情報が取得された後、光ディスクが挿入された場合、この挿入された光ディスクに記録されている番組識別情報およびディスク固有識別情報を取得する光ディスク側情報取得手段と、前記メモリ側情報取得手段により番組識別情報およびディスク固有識別情報が取得された後、光ディスクが挿入されていない場合に、前記番組識別情報および前記ディスク固有識別情報が示す該当の光ディスクを挿入するようにメッセージを表示手段に表示させると共に、前記次に始まる録画の番組識別情報を表示手段に表示させる該当光ディスク挿入指示表示手段と、前記光ディスク側情報取得手段により番組識別情報およびディスク固有識別情報が取得された後、前記メモリ側情報取得手段により取得された番組識別情報およびディスク固有識別情報と、前記光ディスク側情報取得手段により取得された番組識別情報およびディスク固有識別情報とが一致しなかった場合、前記メモリ側の番組識別番号およびディスク固有識別情報に該当する光ディスクに入れ替えるように指示するメッセージを表示手段に表示させると共に、前記次に始まる録画の番組識別情報を表示手段に表示させる該当光ディスク入れ替え指示表示手段と、前記メモリ側情報取得手段により取得された番組識別情報およびディスク固有識別情報と、前記光ディスク側情報取得手段により取得された番組識別情報およびディスク固有識別情報とが一致したが、前記残り時間が前記録画時間よりも短い場合、未記録の光ディスクに入れ替えるように指示するメッセージを表示手段に表示させる未記録光ディスク入れ替え指示表示手段とを有するシステムコントローラを備えたことを特徴とする光ディスク記録再生装置を提供する。
【００１１】
この構成において、録画予約情報記憶手段は、録画予約された際に設定されたチャンネルと録画日時と録画時間と番組識別情報とを含む録画予約情報テーブルをメモリに記憶させる。ディスク区別情報記憶手段は、録画予約する際に光ディスクが挿入されたときに、当該光ディスクを番組の種類に応じて区別するため、当該光ディスクに録画させようとする番組を識別するためのタイトルやジャンルや同一タイトルの連番を示す番組識別情報と、当該光ディスクを識別するためのディスク固有識別情報と、当該光ディスクの録画可能な残り時間を示す残り時間情報とを含むディスク区別情報テーブルをメモリに記憶させる。また、録画予約する際に未記録の光ディスクが挿入されたときは、番組ディスク識別情報記録手段は、当該光ディスクに番組識別情報とディスク固有識別情報とを割り当て記録させる。
【００１２】
このようにして録画予約された時、または録画が終了した時に、メモリ側情報取得手段は、メモリの録画予約情報テーブルから次に始まる録画の番組識別情報と、メモリのディスク区別情報テーブルからディスク固有識別情報とを取得する。光ディスクが挿入されている場合は、光ディスク側情報取得手段は、挿入された光ディスクに記録されている番組識別情報およびディスク固有識別情報を取得する。一方、光ディスクが挿入されていない場合には、該当光ディスク挿入指示表示手段は、前記番組識別情報および前記ディスク固有識別情報が示す該当の光ディスクを挿入するようにメッセージを表示手段に表示させると共に、次に始まる録画の番組識別情報を表示手段に表示させる。
【００１３】
前記光ディスク側情報取得手段により番組識別情報およびディスク固有識別情報が取得された後、前記メモリ側情報取得手段により取得された番組識別情報およびディスク固有識別情報と、前記光ディスク側情報取得手段により取得された番組識別情報およびディスク固有識別情報とが一致しなかった場合、該当光ディスク入れ替え指示表示手段は、前記メモリ側の番組識別番号およびディスク固有識別情報に該当する光ディスクに入れ替えるように指示するメッセージを表示手段に表示させると共に、前記次に始まる録画の番組識別情報を表示手段に表示させる。
【００１４】
前記メモリ側情報取得手段により取得された番組識別情報およびディスク固有識別情報と、前記光ディスク側情報取得手段により取得された番組識別情報およびディスク固有識別情報とが一致したが、当該光ディスクの録画可能な残り時間が当該番組の録画時間よりも短い場合、未記録光ディスク入れ替え指示表示手段は、未記録の光ディスクに入れ替えるように指示するメッセージを表示手段に表示させる。
【００１５】
この構成によれば、テレビ番組の内容で光ディスクを分ける場合に、該当する光ディスクの挿入や入れ替えの指示をユーザに促す表示を行うことができ、これにより、間違った光ディスクの挿入や、該当する光ディスクへの入れ替えの忘れを防止できる。また、録画予約を行った後、光ディスクが挿入されていない場合、該当する光ディスクを挿入するように指示をする表示が行われるので、間違った光ディスクを挿入することが防止できる。また、先に録画予約されていた録画が終了した後、次の録画が始まる前に、前回と番組内容が異なれば、該当する光ディスクに入れ替える指示をする表示が行われるので、間違った光ディスクに録画されることが防止できる。また、次に始まる録画の番組の番組識別情報が表示されるので、次に始まる番組が何であるかを一々調べる必要がなくなる。また、当該光ディスクの録画可能な残り時間が当該番組の録画時間よりも短い場合、未記録の光ディスクに入れ替えるように指示する表示が行われるので、光ディスクの容量不足により録画が完全にできなくなようなことを防止できる。このような構成の光ディスク記録再生装置を用いることによって、ユーザにとっては、録画予約の番組内容と使用目的の光ディスクとの管理の負担が軽減し、使い勝手が向上するという効果が得られる。
【００１６】
請求項２の発明は、光ディスクが挿入されたときに、当該光ディスクをテレビ番組の種類に応じて区別するため、ディスク区別情報テーブルをメモリに記憶させるディスク区別情報記憶手段と、録画予約された際に設定された録画予約情報テーブルをメモリに記憶させる録画予約情報記憶手段と、未記録の光ディスクが挿入されたときに、当該光ディスクに番組識別情報とディスク固有識別情報とを割り当て当該光ディスクに記録させる番組ディスク識別情報記録手段と、テレビ番組の録画予約をした時、または録画が終了した時に、前記メモリの録画予約情報テーブルから次に始まる録画の番組識別情報と前記メモリのディスク区別情報テーブルからディスク固有識別情報とを取得するメモリ側情報取得手段と、前記番組識別情報およびディスク固有識別情報が取得された後、光ディスクが挿入された場合、この挿入された光ディスクに記録されている番組識別情報およびディスク固有識別情報を取得する光ディスク側情報取得手段と、前記メモリ側情報取得手段により番組識別情報およびディスク固有識別情報が取得された後、光ディスクが挿入されていない場合に、前記番組識別情報と前記ディスク固有識別情報が示す該当の光ディスクを挿入するようにメッセージを表示手段に表示させると共に、前記次に始まる録画の番組識別情報を表示手段に表示させる該当光ディスク挿入指示表示手段と、前記光ディスク側情報取得手段により番組識別情報およびディスク固有識別情報が取得された後、前記メモリ側情報取得手段により取得された番組識別情報およびディスク固有識別情報と、前記光ディスク側情報取得手段により取得された番組識別情報およびディスク固有識別情報とが一致しなかった場合、前記メモリ側の番組識別番号およびディスク固有識別情報に該当する光ディスクに入れ替えるように指示するメッセージを表示手段に表示させると共に、前記次に始まる録画の番組識別情報を表示手段に表示させる該当光ディスク入れ替え指示表示手段とを有するシステムコントローラを備えたことを特徴とする光ディスク記録再生装置を提供する。
【００１７】
この構成において、録画予約情報記憶手段は、録画予約された際に設定された録画予約情報テーブルをメモリに記憶させる。ディスク区別情報記憶手段は、録画予約する際に光ディスクが挿入されたときに、当該光ディスクを番組の種類に応じて区別するため、ディスク区別情報テーブルをメモリに記憶させる。また、録画予約する際に未記録の光ディスクが挿入されたときは、番組ディスク識別情報記録手段は、当該光ディスクに番組識別情報とディスク固有識別情報とを割り当て記録させる。
【００１８】
このようにして録画予約された時、または録画が終了した時に、メモリ側情報取得手段は、メモリの録画予約情報テーブルから次に始まる録画の番組識別情報と、メモリのディスク区別情報テーブルからディスク固有識別情報とを取得する。光ディスクが挿入されている場合は、光ディスク側情報取得手段は、挿入された光ディスクに記録されている番組識別情報およびディスク固有識別情報を取得する。一方、光ディスクが挿入されていない場合には、該当光ディスク挿入指示表示手段は、前記番組識別情報および前記ディスク固有識別情報が示す該当の光ディスクを挿入するようにメッセージを表示手段に表示させると共に、次に始まる録画の番組識別情報を表示手段に表示させる。
【００１９】
前記光ディスク側情報取得手段により番組識別情報およびディスク固有識別情報が取得された後、前記メモリ側情報取得手段により取得された番組識別情報およびディスク固有識別情報と、前記光ディスク側情報取得手段により取得された番組識別情報およびディスク固有識別情報とが一致しなかった場合、該当光ディスク入れ替え指示表示手段は、前記メモリ側の番組識別番号およびディスク固有識別情報に該当する光ディスクに入れ替えるように指示するメッセージを表示手段に表示させると共に、前記次に始まる録画の番組識別情報を表示手段に表示させる。
【００２０】
この構成によれば、テレビ番組の内容で光ディスクを分ける場合に、該当する光ディスクの挿入や入れ替えの指示をユーザに促す表示を行うことができ、これにより、間違った光ディスクの挿入や、該当する光ディスクへの入れ替えの忘れを防止できる。また、録画予約を行った後、光ディスクが挿入されていない場合、該当する光ディスクを挿入するように指示をする表示が行われるので、間違った光ディスクを挿入することが防止できる。また、先に録画予約されていた録画が終了した後、次の録画が始まる前に、前回と番組内容が異なれば、該当する光ディスクに入れ替える指示をする表示が行われるので、間違った光ディスクに録画されることが防止できる。また、次に始まる録画の番組の番組識別情報が表示されるので、次に始まる番組が何であるかを一々調べる必要がなくなる。このような構成の光ディスク記録再生装置を用いることによって、ユーザにとっては、録画予約の番組内容と使用目的の光ディスクとの管理の負担が軽減し、使い勝手が向上するという効果が得られる。
【００２１】
請求項３の発明では、請求項２の発明において、前記ディスク区別情報テーブルは、当該光ディスクに録画させようとするテレビ番組を識別するためのタイトルやジャンルや同一タイトルの連番を示す番組識別情報と当該光ディスクを識別するためのディスク固有識別情報と当該光ディスクの録画可能な残り時間を示す残り時間情報とを含むので、該当する光ディスクの挿入指示の表示、該当する光ディスクの入れ替え指示の表示、および未記録の光ディスクの入れ替え指示の表示を精度良く実行させることができる。
【００２２】
請求項４の発明では、請求項２の発明において、前記録画予約情報テーブルは、録画予約された際に設定されたチャンネルと録画日時と録画時間と番組識別情報とを含むので、該当する光ディスクの挿入指示の表示、該当する光ディスクの入れ替え指示の表示、および未記録の光ディスクの入れ替え指示の表示を精度良く実行させることができる。
【００２３】
請求項５の発明では、請求項２の発明において、前記システムコントローラは、前記メモリ側情報取得手段により取得された番組識別情報およびディスク固有識別情報と、前記光ディスク側情報取得手段により取得された番組識別情報およびディスク固有識別情報とが一致したが、当該光ディスクの録画可能な残り時間が当該番組の録画時間よりも短い場合、未記録の光ディスクに入れ替えるように指示するメッセージを表示手段に表示させる未記録光ディスク入れ替え指示表示手段を有するので、当該光ディスクの録画可能な残り時間が当該番組の録画時間よりも短い場合は、未記録の光ディスクに入れ替えるように指示するメッセージを表示手段に表示させることができる。
【発明の効果】
【００２４】
以上のように本発明によれば、光ディスクが挿入されたときに、当該光ディスクをテレビ番組の種類に応じて区別するため、当該光ディスクに録画させようとするテレビ番組を識別するためのタイトルやジャンルや同一タイトルの連番を示す番組識別情報と当該光ディスクを識別するためのディスク固有識別情報と当該光ディスクの録画可能な残り時間を示す残り時間情報とを含むディスク区別情報テーブルをメモリに記憶させるディスク区別情報記憶手段と、録画予約された際に設定されたチャンネルと録画日時と録画時間と番組識別情報とを含む録画予約情報テーブルをメモリに記憶させる録画予約情報記憶手段と、未記録の光ディスクが挿入されたときに当該光ディスクに前記番組識別情報と前記ディスク固有識別情報とを割り当て当該光ディスクに記録させる番組ディスク識別情報記録手段と、テレビ番組の録画予約をした時、または録画が終了した時に、前記メモリの録画予約情報テーブルから次に始まる録画の番組識別情報と前記メモリのディスク区別情報テーブルからディスク固有識別情報とを取得するメモリ側情報取得手段と、前記番組識別情報およびディスク固有識別情報が取得された後、光ディスクが挿入された場合、この挿入された光ディスクに記録されている番組識別情報およびディスク固有識別情報を取得する光ディスク側情報取得手段と、前記メモリ側情報取得手段により番組識別情報およびディスク固有識別情報が取得された後、光ディスクが挿入されていない場合に、前記番組識別情報および前記ディスク固有識別情報が示す該当の光ディスクを挿入するようにメッセージを表示手段に表示させると共に、前記次に始まる録画の番組識別情報を表示手段に表示させる該当光ディスク挿入指示表示手段と、前記光ディスク側情報取得手段により番組識別情報およびディスク固有識別情報が取得された後、前記メモリ側情報取得手段により取得された番組識別情報およびディスク固有識別情報と、前記光ディスク側情報取得手段により取得された番組識別情報およびディスク固有識別情報とが一致しなかった場合、前記メモリ側の番組識別番号およびディスク固有識別情報に該当する光ディスクに入れ替えるように指示するメッセージを表示手段に表示させると共に、前記次に始まる録画の番組識別情報を表示手段に表示させる該当光ディスク入れ替え指示表示手段と、前記メモリ側情報取得手段により取得された番組識別情報およびディスク固有識別情報と、前記光ディスク側情報取得手段により取得された番組識別情報およびディスク固有識別情報とが一致したが、前記残り時間が前記録画時間よりも短い場合、未記録の光ディスクに入れ替えるように指示するメッセージを表示手段に表示させる未記録光ディスク入れ替え指示表示手段とを有するシステムコントローラを備えたので、テレビ番組の内容で光ディスクを分ける場合に、該当する光ディスクの挿入や入れ替えの指示をユーザに促す表示を行うことができ、これにより、間違った光ディスクの挿入や、該当する光ディスクへの入れ替えの忘れを防止できる。
【００２５】
また、録画予約を行った後、光ディスクが挿入されていない場合、該当する光ディスクを挿入するように指示をする表示が行われるので、間違った光ディスクを挿入することが防止できる。また、先に録画予約されていた録画が終了した後、次の録画が始まる前に、前回と番組内容が異なれば、該当する光ディスクに入れ替える指示をする表示が行われるので、間違った光ディスクに録画されることが防止できる。また、次に始まる録画の番組の番組識別情報が表示されるので、次に始まる番組が何であるかを一々調べる必要がなくなる。また、当該光ディスクの録画可能な残り時間が当該番組の録画時間よりも短い場合、未記録の光ディスクに入れ替えるように指示する表示が行われるので、光ディスクの容量不足により録画が完全にできなくなようなことを防止できる。このような構成の光ディスク記録再生装置を用いることによって、ユーザにとっては、録画予約の番組内容と使用目的の光ディスクとの管理の負担が軽減し、使い勝手が向上するという効果が得られる。
【００２６】
また、本発明によれば、光ディスクが挿入されたときに、当該光ディスクをテレビ番組の種類に応じて区別するため、ディスク区別情報テーブルをメモリに記憶させるディスク区別情報記憶手段と、録画予約された際に設定された録画予約情報テーブルをメモリに記憶させる録画予約情報記憶手段と、未記録の光ディスクが挿入されたときに、当該光ディスクに番組識別情報とディスク固有識別情報とを割り当て当該光ディスクに記録させる番組ディスク識別情報記録手段と、テレビ番組の録画予約をした時、または録画が終了した時に、前記メモリの録画予約情報テーブルから次に始まる録画の番組識別情報と前記メモリのディスク区別情報テーブルからディスク固有識別情報とを取得するメモリ側情報取得手段と、前記番組識別情報およびディスク固有識別情報が取得された後、光ディスクが挿入された場合、この挿入された光ディスクに記録されている番組識別情報およびディスク固有識別情報を取得する光ディスク側情報取得手段と、前記メモリ側情報取得手段により番組識別情報およびディスク固有識別情報が取得された後、光ディスクが挿入されていない場合に、前記番組識別情報および前記ディスク固有識別情報が示す該当の光ディスクを挿入するようにメッセージを表示手段に表示させると共に、前記次に始まる録画の番組識別情報を表示手段に表示させる該当光ディスク挿入指示表示手段と、前記光ディスク側情報取得手段により番組識別情報およびディスク固有識別情報が取得された後、前記メモリ側情報取得手段により取得された番組識別情報およびディスク固有識別情報と、前記光ディスク側情報取得手段により取得された番組識別情報およびディスク固有識別情報とが一致しなかった場合、前記メモリ側の番組識別番号およびディスク固有識別情報に該当する光ディスクに入れ替えるように指示するメッセージを表示手段に表示させると共に、前記次に始まる録画の番組識別情報を表示手段に表示させる該当光ディスク入れ替え指示表示手段とを有するシステムコントローラを備えたので、テレビ番組の内容で光ディスクを分ける場合に、該当する光ディスクの挿入や入れ替えの指示をユーザに促す表示を行うことができ、これにより、間違った光ディスクの挿入や、該当する光ディスクへの入れ替えの忘れを防止できる。
【００２７】
また、録画予約を行った後、光ディスクが挿入されていない場合、該当する光ディスクを挿入するように指示をする表示が行われるので、間違った光ディスクを挿入することが防止できる。また、先に録画予約されていた録画が終了した後、次の録画が始まる前に、前回と番組内容が異なれば、該当する光ディスクに入れ替える指示をする表示が行われるので、間違った光ディスクに録画されることが防止できる。また、次に始まる録画の番組の番組識別情報が表示されるので、次に始まる番組が何であるかを一々調べる必要がなくなる。このような構成の光ディスク記録再生装置を用いることによって、ユーザにとっては、録画予約の番組内容と使用目的の光ディスクとの管理の負担が軽減し、使い勝手が向上するという効果が得られる。
【発明を実施するための最良の形態】
【００２８】
以下、添付図面を参照しつつ、本発明の実施の形態について説明する。図１は本発明の一実施形態に係る光ディスク記録再生装置の構成を示すブロック図である。
【００２９】
この光ディスク記録再生装置は、装置全体を制御するシステムコントローラ２２と、光ディスク１を回転させるスピンドルモータ５と、光ディスク１に対して情報の書き込み／読み出しを光学的に行う光ピックアップ２と、この光ピックアップ２を光ディスク１の半径方向に移動させるためのスレッド３と、システムコントローラ２２の指示に応じて、モータ駆動回路３４を通じてスピンドルモータ５、およびスレッド３を駆動すると共に、光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。
【００３０】
また、この光ディスク記録再生装置は、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータをバッファメモリとしてのＲＡＭ７に格納するデジタル信号処理部８と、システムコントローラ２２の指示に応じてデジタル信号処理部８から出力されたデータストリームの中からオーディオデータとサブピクチャデータとビデオデータとを分離するストリーム分離部９とを備えている。
【００３１】
また、この光ディスク記録再生装置は、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力してＭＰＥＧでデコード処理を行うビデオＭＰＥＧデコーダ１５と、このビデオＭＰＥＧデコーダ１５でのデコード処理を行うためにデータを一時的に格納するＲＡＭ１４とを備えている。
【００３２】
また、この光ディスク記録再生装置は、システムコントローラ２２の指示に応じてビデオＭＰＥＧデコーダ１５から出力されたデータとサブピクチャデコーダ１３から出力されたデータとを合成するビデオプロセッサ１７と、このビデオプロセッサ１７から出力された合成データを表示用のビデオ信号に変換して画像をディスプレイ装置２０に表示させるビデオエンコーダ１８と、オーディオデコーダ１１から出力されたデータをアナログのオーディオ信号に変換して図示しない音声回路を介して例えばスピーカ１９に供給するＤ／Ａ変換器１６とを備えている。
【００３３】
また、この光ディスク記録再生装置は、システムコントローラ２２に対して、記録指示を与えるための記録キー、再生指示を与えるための再生キー、記録や再生の停止指示を与えるための停止キーなど、各種操作キーを有するリモコン２１と、このリモコン２１の操作キーよりも少ない操作キーを有する本体操作部（図示せず）と、リモコン２１や本体操作部で操作された操作内容や動作モードを表示する表示部３５とを備えている。また、この光ディスク記録再生装置は、装置の各構成要素を制御したり、装置全体を制御したりするためのプログラムやデータが記憶された不揮発性メモリとしてのフラッシュＲＯＭ２３と、このフラッシュＲＯＭ２３のプログラムやデータに従って演算処理を行いシステムコントローラ２２を制御するＣＰＵ２４と、このＣＰＵ２４の演算処理に必要なデータを一時的に格納するＲＡＭ２７とを備えている。
【００３４】
また、この光ディスク記録再生装置は、アンテナ２８に接続されるチューナ２９と、このチューナ２９で選局されたテレビジョン放送のアナログの映像音声信号、あるいは図示しないテレビジョン受信機や他の映像音声出力機器からの映像音声信号をデジタルの映像音声データに変換するＡ／Ｄ変換回路３０と、前記映像音声データをＭＰＥＧでエンコードするＭＰＥＧエンコーダ３１と、前記エンコードした映像音声データ（以下エンコードデータと言う）を一時的に所定量だけ格納するバッファメモリとしてのＲＡＭ３２と、記録データ変調回路２５と接続するインターフェースであるＡＴＡＰＩ（AT Attachment Packet Interface）３３と、このＡＴＡＰＩ３３から送られてきたエンコードデータを光ディスク１に記録するために変調をかける記録データ変調回路２５と、この記録データ変調回路２５により変調された変調データに基づいて光ピックアップ２から出射するレーザ光を変調させるためのレーザ変調信号を光ピックアップ２に出力するレーザ変調回路２６とを備えている。
【００３５】
システムコントローラ２２は、本実施形態の特徴とする構成要素として、光ディスクが挿入されたときに、当該光ディスクをテレビ番組の種類に応じて区別するため、当該光ディスクに録画させようとするテレビ番組を識別するためのタイトルやジャンルや同一タイトルの連番を示す番組識別情報と当該光ディスクを識別するためのディスク固有識別情報と当該光ディスクの録画可能な残り時間を示す残り時間情報とを含むディスク区別情報テーブルＴ２（図３参照）をフラッシュＲＯＭ２３に記憶させるディスク区別情報記憶手段２２１と、録画予約された際に設定されたチャンネルと録画日時と録画時間と番組識別情報とを含む録画予約情報テーブルＴ１（図２参照）をフラッシュＲＯＭ２３に記憶させる録画予約情報記憶手段２２２と、未記録の光ディスクが挿入されたときに当該光ディスクに前記番組識別情報と前記ディスク固有識別情報とを割り当て当該光ディスクに記録させる番組ディスク識別情報記録手段２２３とを有する。
【００３６】
また、システムコントローラ２２は、テレビ番組の録画予約をした時、または録画が終了した時に、フラッシュＲＯＭ２３の録画予約情報テーブルＴ１から次に始まる録画の番組識別情報とフラッシュＲＯＭ２３のディスク区別情報テーブルＴ１からディスク固有識別情報とを取得するメモリ側情報取得手段２２４と、前記番組識別情報およびディスク固有識別情報が取得された後、光ディスクが挿入された場合、この挿入された光ディスクに記録されている番組識別情報およびディスク固有識別情報を取得する光ディスク側情報取得手段２２５と、前記メモリ側情報取得手段２２４により番組識別情報およびディスク固有識別情報が取得された後、光ディスクが挿入されていない場合に、前記番組識別情報および前記ディスク固有識別情報が示す該当の光ディスクを挿入するようにメッセージをディスプレイ装置２０または／および表示部３５に表示させると共に、前記次に始まる録画の番組識別情報をディスプレイ装置２０または／および表示部３５に表示させる該当光ディスク挿入指示表示手段２２６とを有する。
【００３７】
また、システムコントローラ２２は、前記光ディスク側情報取得手段２２５により番組識別情報およびディスク固有識別情報が取得された後、前記メモリ側情報取得手段２２４により取得された番組識別情報およびディスク固有識別情報と、前記光ディスク側情報取得手段２２５により取得された番組識別情報およびディスク固有識別情報とが一致しなかった場合、前記メモリ側の番組識別番号およびディスク固有識別情報に該当する光ディスクに入れ替えるように指示するメッセージをディスプレイ装置２０または／および表示部３５に表示させると共に、前記次に始まる録画の番組識別情報をディスプレイ装置２０または／および表示部３５に表示させる該当光ディスク入れ替え指示表示手段２２７と、前記メモリ側情報取得手段２２４により取得された番組識別情報およびディスク固有識別情報と、前記光ディスク側情報取得手段２２５により取得された番組識別情報およびディスク固有識別情報とが一致したが、前記残り時間が前記録画時間よりも短い場合、未記録の光ディスクに入れ替えるように指示するメッセージをディスプレイ装置２０または／および表示部３５に表示させる未記録光ディスク入れ替え指示表示手段２２８とを有する。
【００３８】
図２は本実施形態において録画予約情報の内容の一例を示す録画予約情報テーブル図である。
【００３９】
この録画予約情報テーブルＴ１において、「チャンネル」はテレビ放送局のチャンネルを示す。「録画日時」は設定された録画予約の録画が開始される日時（録画開始時刻と録画終了時刻も含む）を示し、「録画時間」は録画が開始されてから録画が終了するまでの録画の時間を示す。「録画モード」は録画する際の画質を示し、録画モードとしては、ＸＰ、ＳＰ、ＬＰ、ＥＰがあり、ＸＰはＳＰよりも高画質でＳＰの半分の時間録画でき、ＳＰは標準的な画質で録画するモードであり、ＬＰはＳＰよりも画質が劣化するが、ＳＰの２倍の時間録画でき、ＥＰはＬＰ以上に画質が劣化するが、ＳＰの３倍の時間録画できる。「番組内容情報」は番組のタイトルの内容の説明などを示し、「番組識別情報」は番組のタイトルを示す。
【００４０】
この録画予約情報テーブルＴ１において、録画予約されている録画日時が１１月５日１２時では、チャンネルが８、録画時間が６０分、録画モードがＬＰ、番組内容情報（タイトル）がサスペンス、番組識別情報がドラマａを示す。録画予約されている録画日時が１１月７日１６時では、チャンネルが４、録画時間が１２０分、録画モードがＸＰ、番組内容情報がプロ野球、番組識別情報（タイトル）がスポーツｂを示す。録画予約されている録画日時が１１月８日１時では、チャンネルが１２、録画時間が３０分、録画モードがＳＰ、番組内容情報が英会話、番組識別情報（タイトル）が語学ｃを示す。
【００４１】
図３は本実施形態においてディスク区別情報の内容の一例を示すディスク区別情報テーブル図である。
【００４２】
このディスク区別情報テーブルＴ２において、「番組識別情報」のタイトルを示し、「同一タイトルの連番」は番組のタイトルが同じタイトルの連番を示す。「ディスク固有識別情報」は当該光ディスクを識別するための識別番号を示す。「残り時間情報」は当該光ディスクの録画可能な残り時間を示す。「番組内容情報」は番組のタイトルの内容の説明などを示す。
【００４３】
このディスク区別情報テーブルＴ２において、番組識別情報（タイトル）がドラマａは、連番１，２，３があり、連番１のドラマａでは、光ディスクの識別番号が００１０を示し、その光ディスクの録画可能な残り時間が６０分を示し、また、番組内容情報がサスペンスを示す。連番２のドラマａでは、光ディスクの識別番号が００１０を示し、その光ディスクの録画可能な残り時間が２０分を示し、また、番組内容情報がサスペンスを示す。連番３のドラマａでは、光ディスクの識別番号が００３７を示し、その光ディスクの録画可能な残り時間が３０分を示し、また、番組内容情報がサスペンスを示す。なお、ここの例では、連番１のドラマａを録画したときの光ディスクの録画可能な残り時間は６０分あるので、連番２のドラマａ（録画時間６０分）も同じ光ディスク（識別番号００１０）を用いることができる。したがって、連番２のドラマａも識別番号００１０の光ディスクに録画すれば良いことになる。
【００４４】
番組識別情報（タイトル）がスポーツｂは、連番１，２があり、連番１のスポーツｂでは、光ディスクの識別番号が００１１を示し、その光ディスクの録画可能な残り時間が１０分を示し、また、番組内容情報がプロ野球を示す。連番２のスポーツｂでは、光ディスクの識別番号が００２０を示し、その光ディスクの録画可能な残り時間が４０分を示し、また、番組内容情報がプロ野球を示す。
【００４５】
番組識別情報（タイトル）が語学ｃは、連番１，２があり、連番１の語学ｃでは、光ディスクの識別番号が００１３を示し、その光ディスクの録画可能な残り時間が１５分を示し、また、番組内容情報が英会話を示す。連番２の語学ｃでは、光ディスクの識別番号が００１５を示し、その光ディスクの録画可能な残り時間が６０分を示し、また、番組内容情報が英会話を示す。
【００４６】
図４は本実施形態において録画予約の内容と該当光ディスク入れ替え指示表示のタイミングとメッセージの内容との一例の説明図である。
【００４７】
図４において、録画予約が例えば図２で示した録画予約の順に録画されるとすると、時点ｔ１でドラマａの録画が終了したとすると、次に始まる録画の番組はスポーツｂであるので、「スポーツ用光ディスクに入れ替えて下さい」というメッセージがディスプレイ装置２０または／および表示部３５に表示される。この表示を見たユーザは、ドラマ用光ディスクを装置から取り出して、スポーツ用光ディスクを装置に挿入する。そして、スポーツｂの録画が時点ｔ２で終了すると、次に始まる録画の番組は語学ｃであるので、語学用光ディスクに入れ替えて下さい」というメッセージがディスプレイ装置２０または／および表示部３５に表示される。この表示を見たユーザは、スポーツ用光ディスクを装置から取り出して、語学用光ディスクを装置に挿入する。
【００４８】
ここで言う、ドラマ用光ディスクとは、例えば、図３で示したディスク固有識別情報（ディスク識別番号）が００１０，００３７の光ディスクのことを言い、スポーツ用光ディスクとは、ディスク固有識別情報（ディスク識別番号）が００１１，００２０の光ディスクのことを言い、また、語学用光ディスクとは、ディスク固有識別情報（ディスク識別番号）が００１３，００１５の光ディスクのことを言う。
【００４９】
図５は本実施形態において番組を光ディスクに録画する場合に番組の種類に応じた光ディスクを選んで装置に挿入できるようにする指示を与えるための処理を説明するためのフローチャートである。このフローチャートおよび図１〜図４を参照して番組を光ディスクに録画する場合に番組の種類に応じた光ディスクを選んで装置に挿入できるようにする指示を与えるための処理について説明する。
【００５０】
先ず、リモコン２１を操作してディスプレイ装置２０に電子番組表を表示させ、その電子番組表から録画予約したい番組を選んで決定操作することにより、番組の録画予約に対する処理が行われる（ステップＳ１）。また、この録画予約は、電子番組表の詳細内容に表示されるＧコードや、新聞などに掲載された番組表に記載されたＧコードを用いて録画予約をすることもできる。システムコントローラ２２の録画予約情報記憶手段２２２は、録画予約された際に設定されたチャンネルと録画日時と録画時間と録画モードと番組内容情報と番組識別情報とを含む録画予約情報テーブルＴ１（図２参照）をフラッシュＲＯＭ２３に記憶させる。
【００５１】
また、システムコントローラ２２のディスク区別情報記憶手段２２１は、録画予約する際に光ディスクが挿入されたときに、当該光ディスクを番組の種類に応じて区別するため、当該光ディスクに録画させようとする番組を識別するためのタイトルおよび同一タイトルの連番を示す番組識別情報と、当該光ディスクを識別するためのディスク固有識別情報と、当該光ディスクの録画可能な残り時間を示す残り時間情報と、番組の内容を説明する番組内容情報とを含むディスク区別情報テーブルＴ２（図３参照）をフラッシュＲＯＭ２３に記憶させる。また、録画予約する際に未記録の光ディスクが挿入されたときは、システムコントローラ２２の番組ディスク識別情報記録手段２２３は、当該光ディスクの管理情報エリアに番組識別情報とディスク固有識別情報とを割り当て記録させる。
【００５２】
このようにして録画予約された時、または録画が終了した時に、システムコントローラ２２のメモリ側情報取得手段２２４は、フラッシュＲＯＭ２３の録画予約情報テーブルＴ１（図２参照）から次に始まる録画の番組識別情報と、フラッシュＲＯＭ２３のディスク区別情報テーブルＴ２（図３参照）からディスク固有識別情報とを取得する（ステップＳ２）。このディスク固有識別情報は、ディスク区別情報テーブルＴ２の番組識別情報に対応するものであり、この番組識別情報は録画予約情報テーブルＴ１の番組識別情報に相当する。
【００５３】
光ディスクが挿入されている場合は（ステップＳ３）、システムコントローラ２２の光ディスク側情報取得手段２２５は、挿入された光ディスクに記録されている番組識別情報およびディスク固有識別情報を取得する（ステップＳ４）。一方、光ディスクが挿入されていない場合には、システムコントローラ２２の該当光ディスク挿入指示表示手段２２６は、前記番組識別情報および前記ディスク固有識別情報が示す該当の光ディスクを挿入するようにメッセージをＯＳＤ処理によりディスプレイ装置２０に表示させると共に、前記次に始まる録画の番組識別情報（ドラマａやスポーツｂや語学ｃなど）をディスプレイ装置２０に表示させる。なお、ディスプレイ装置２０の代わりに表示部３５にメッセージや番組識別情報を表示させても良いし、ディスプレイ装置２０と表示部３５の両方に表示させても良い。
【００５４】
前記光ディスク側情報取得手段２２５により番組識別情報およびディスク固有識別情報が取得された後、前記メモリ側情報取得手段２２４により取得された番組識別情報およびディスク固有識別情報と、前記光ディスク側情報取得手段２２５により取得された番組識別情報およびディスク固有識別情報とがそれぞれ比較され、両者が一致しなかった場合（ステップＳ６）、システムコントローラ２２の該当光ディスク入れ替え指示表示手段２２７は、前記メモリ側の番組識別番号およびディスク固有識別情報に該当する光ディスクに入れ替えるように指示するメッセージをＯＳＤ処理によりディスプレイ装置２０に表示させると共に、前記次に始まる録画の番組識別情報をディスプレイ装置２０に表示させる（ステップＳ８）。
【００５５】
前記メモリ側情報取得手段２２４により取得された番組識別情報およびディスク固有識別情報と、前記光ディスク側情報取得手段２２５により取得された番組識別情報およびディスク固有識別情報とが一致したが（ステップＳ６）、当該光ディスクの録画可能な残り時間が当該番組の録画時間よりも短い場合、システムコントローラ２２の未記録光ディスク入れ替え指示表示手段２２８は、未記録の光ディスクに入れ替えるように指示するメッセージをＯＳＤ処理によりディスプレイ装置２０または／および表示部３５に表示させる（ステップＳ９）。
【００５６】
以上説明したように本実施形態によれば、テレビ番組の内容で光ディスクを分ける場合に、該当する光ディスクの挿入や入れ替えの指示をユーザに促す表示を行うことができ、これにより、間違った光ディスクの挿入や、該当する光ディスクへの入れ替えの忘れを防止できる。また、録画予約を行った後、光ディスクが挿入されていない場合、該当する光ディスクを挿入するように指示をする表示が行われるので、間違った光ディスクを挿入することが防止できる。また、先に録画予約されていた録画が終了した後、次の録画が始まる前に、前回と番組内容が異なれば、該当する光ディスクに入れ替える指示をする表示が行われるので、間違った光ディスクに録画されることが防止できる。
【００５７】
また、次に始まる録画の番組の番組識別情報が表示されるので、次に始まる番組が何であるかを一々調べる必要がなくなる。また、当該光ディスクの録画可能な残り時間が当該番組の録画時間よりも短い場合、未記録の光ディスクに入れ替えるように指示する表示が行われるので、光ディスクの容量不足により録画が完全にできなくなようなことを防止できる。このような構成の光ディスク記録再生装置を用いることによって、ユーザにとっては、録画予約の番組内容と使用目的の光ディスクとの管理の負担が軽減し、使い勝手が向上するという効果が得られる。
【図面の簡単な説明】
【００５８】
【図１】本発明の一実施形態に係る光ディスク記録再生装置の構成を示すブロック図である。
【図２】前記実施形態において録画予約情報の内容の一例を示す録画予約情報テーブル図である。
【図３】前記実施形態においてディスク区別情報の内容の一例を示すディスク区別情報テーブル図である。
【図４】前記実施形態において録画予約の内容と該当光ディスク入れ替え指示表示のタイミングとメッセージの内容との一例の説明図である。
【図５】前記実施形態において番組を光ディスクに録画する場合に番組の種類に応じた光ディスクを選んで装置に挿入できるようにする指示を与えるための処理を説明するためのフローチャートである。
【符号の説明】
【００５９】
１    光ディスク
２０    ディスプレイ装置（表示手段）
２２    システムコントローラ
２３    フラッシュＲＯＭ（メモリ）
３５    表示部（表示手段）
２２１    ディスク区別情報記憶手段
２２２    録画予約情報記憶手段
２２３    番組ディスク識別情報記録手段
２２４    メモリ側情報取得手段
２２５    光ディスク側情報取得手段
２２６    該当光ディスク挿入指示表示手段
２２７    該当光ディスク入れ替え指示表示手段
２２８    未記録光ディスク入れ替え指示表示手段
Ｔ１    録画予約情報テーブル
Ｔ２    ディスク区別情報テーブル
【図１】
2007149160.tif 000003
【図２】
2007149160.tif 000004
【図３】
2007149160.tif 000005
【図４】
2007149160.tif 000006
【図５】
2007149160.tif 000007